(57)【特許請求の範囲】
【請求項１】
無底の筒状の収納部と、
前記収納部の下側口を覆う下側蓋部と、
前記収納部の上側口を覆う上側蓋部とを備え、
前記上側蓋部は前記収納部の上側口に対して開閉自在であり、
前記下側蓋部は前記収納部の下側口に対して開閉自在であり、
前記上側蓋部は前記収納部又は前記下側蓋部に対して係止可能であり、
前記下側蓋部は前記収納部又は前記上側蓋部に対して係止可能であり、
前記下側蓋部は前記収納部に対して係止可能であり、
前記上側蓋部は前記下側蓋部に対して係止可能であり、
前記上側蓋部と前記下側蓋部がそれぞれ係止された状態で、前記上側蓋部が前記下側蓋部を覆っている状態となり、
前記下側蓋部の前記収納部側の面には、前記下側蓋部が開かれた際、前記収納部の内部に収納されている物の落下を受け止める受止め部が設けられている、バッグ。
【請求項２】
前記受止め部の表側と、前記収納部の表側の下方部の下端縁とは、紐で連結されている、請求項１記載のバッグ。
【発明の詳細な説明】
【技術分野】
【０００１】
本発明は、多目的なバッグに関する。
【背景技術】
【０００２】
従来、バッグの底に外開きの底マチをもう一層付ける事により、必要小物をバッグの底に簡単に収納することができ、バッグの面のデザイン性に影響を与えることなく、実用的で便利な使用空間を作り出す二重底バッグが知られている（たとえば、特許文献１参照）。  
【先行技術文献】
【特許文献】
【０００３】
【特許文献１】実用新案登録３２００２６３公報
【発明の概要】
【発明が解決しようとする課題】
【０００４】
ところで、例えば、外出した際などで、体調不良で急に吐き気をもよおし、吐くことがやむを得ずありうる。病気の人は特にそういうことがある。
【０００５】
そのようなときのため、予めバッグの主要な収納空間に、口を開いた状態のビニール袋を入れて置き、いざというとき、バッグを開き、そのビニール袋へ吐けるようにしておくことが知られている。
【０００６】
そのような場合、たとえ上記のような二重底バッグであっても、吐瀉物の入ったビニール袋を始末するには、そのビニール袋の口を手で摘まみながら、バッグから取り出し、処理するしかない。
【０００７】
しかし、吐き気をもよおし慌てて吐くことが多いため、ビニール袋の口などの部分に吐瀉物が付着しがちである。
【０００８】
そのため、吐瀉物が入ったビニール袋を手で取りだすとき、手に吐瀉物が付着することがあり、衛生的にも心理的にも不快な問題があった。
【０００９】
本発明は、上述された従来の課題を考慮し、吐瀉物が入ってビニール袋を取り出し処理する際、手を汚さず、衛生的にも心理的にも問題のないバッグを提供することを目的とする。
【課題を解決するための手段】
【００１０】
第１の本発明は、
無底の筒状の収納部と、
前記収納部の下側口を覆う下側蓋部と、
前記収納部の上側口を覆う上側蓋部とを備え、
前記上側蓋部は前記収納部の上側口に対して開閉自在であり、
前記下側蓋部は前記収納部の下側口に対して開閉自在であり、
前記上側蓋部は前記収納部又は前記下側蓋部に対して係止可能であり、
前記下側蓋部は前記収納部又は前記上側蓋部に対して係止可能であり、
前記下側蓋部は前記収納部に対して係止可能であり、
前記上側蓋部は前記下側蓋部に対して係止可能であり、
前記上側蓋部と前記下側蓋部がそれぞれ係止された状態で、前記上側蓋部が前記下側蓋部を覆っている状態となり、
前記下側蓋部の前記収納部側の面には、前記下側蓋部が開かれた際、前記収納部の内部に収納されている物の落下を受け止める受止め部が設けられている、バッグである。
第２の本発明は、  
前記受止め部の表側と、前記収納部の表側の下方部の下端縁とは、紐で連結されている、第１の本発明のバッグである。
本発明に関連する第１の発明は、
無底の筒状の収納部７と、
前記収納部７の下側口ｗ１を覆う下側蓋部１ａと、
前記収納部７の上側口ｗ２を覆う上側蓋部３とを備え、
前記上側蓋部３は前記収納部７の上側口ｗ２に対して開閉自在であり、
前記下側蓋部１ａは前記収納部７の下側口ｗ１に対して開閉自在であり、
前記上側蓋部３は前記収納部７又は前記下側蓋部１ａに対して係止可能であり、
前記下側蓋部１ａは前記収納部７又は前記上側蓋部３に対して係止可能であることを特徴とするバッグである。    
本発明に関連する第２の発明は、
前記下側蓋部１ａは前記収納部７に対して係止可能であり、
前記上側蓋部３は前記上側蓋部１ａに対して係止可能であり、
前記上側蓋部３と前記下側蓋部１ａがそれぞれ係止された状態で、前記上側蓋部３が前記下側蓋部１ａを覆っている状態となる、本発明に関連する第１の発明のバッグである。
【００１１】
本発明に関連する第３の発明は、
前記下側蓋部１ａの前記収納部７側の面には、前記下側蓋部１ａが開かれた際、前記収納部７の内部に収納されている物の落下を受け止める受止め部９が設けられている、本発明に関連する第２の発明のバッグである。
【００１２】
本発明に関連する第４の発明は、
前記受止め部９の表側９ａと、前記収納部７の表側の下方部７ｂの下端縁７ｂ１とは、紐１０、１０で連結されている、本発明に関連する第３の発明のバッグである。
【００１３】
本発明に関連する第５の発明は、
前記収納部７の上側口ｗ２と、前記上側蓋部３との間には、隙間Ｓが設けられ、ビニール袋１１を前記収納部７に装着する際、前記ビニール袋１１の上側縁１１ａを挟み込めるようになっている、本発明に関連する第２の発明のバッグである。
【００１４】
本発明に関連する第６の発明は、
前記上側蓋部３の内側において、前記収納部の上側口部ｗ２を、更に閉鎖する閉鎖具５，６を備え、
前記閉鎖具５，６は前記上側口部ｗ２を閉鎖した状態において、点滴用のチューブを締め付けない程度の隙間を形成する、本発明に関連する第２の発明のバッグである。
【発明の効果】
【００１５】
第１の本発明では、下側を開いたとき、収納物がいきなり下へ落下してしまわないメリットがある。
第２の本発明では、下側を開いたとき、収納物がいきなり下へ落下することを確実に防止できるメリットがある。
本発明に関連する第１の発明では、収納部に入れた物を取り出すとき、上からでなく下から取り出せるというメリットがある。
【００１６】
本発明に関連する第２の発明では、上側蓋部が上から覆うので、これによって、隙間が上を向かない状態となり、そこへ異物や埃が入らないというメリットがある。
【００１７】
本発明に関連する第３の発明では、下側を開いたとき、収納物がいきなり下へ落下してしまわないメリットがある。
【００１８】
本発明に関連する第４の発明では、下側を開いたとき、収納物がいきなり下へ落下することを確実に防止できるメリットがある。
【００１９】
本発明に関連する第５の発明では、ビニール袋を収納部に装着しやすいメリットがある。
【００２０】
本発明に関連する第６の発明では、点滴用のチューブが、上側の口が閉じられた時、チューブを圧迫して危険な状態を生じさせる心配がないメリットがある。
【図面の簡単な説明】
【００２１】
【図１】本発明における実施の形態のバッグの表側からの斜視図
【図２】図１のバッグのかぶせを上方へ持ち上げた状態を示す斜視図
【図３】図２のバッグの下側蓋部を下方へ開いた状態を示す斜視図
【図４】図３のバッグの収納部を開いた状態を示す斜視図
【図５】図３のバッグを上方向から眺めた状態の斜視図
【図６】図５のバッグの収納部にビニール袋を装着した状態を示す斜視図
【図７】図５のバッグの下側蓋部を元の閉めた状態とし、収納部の巾着部の紐を締めた状態を示す斜視図
【図８】図１のバッグの裏側からの斜視図
【発明を実施するための形態】
【００２２】
図面を参照しながら、本発明における実施の形態について詳細に説明する。
【００２３】
図１は本発明の実施の形態にかかるバッグの全体を示す斜視図であって、１はバッグの本体、２はバッグの本体１に脱着自在に連結されたショルダーストラップである。３は本発明の上側蓋部の一例としてのかぶせ部であり、４ａはスナップボタンの一方部材である。なお、１ａはバッグ本体１の表面部であって、本発明の収納部７の下側口ｗ１を覆う下側蓋部の一例である。
【００２４】
図２は、図１のバッグ本体１のかぶせ部３を上に開いた状態を示す斜視図である。ここに、５は、本発明の閉鎖具の一例としての巾着部であって、６はその巾着部５のひきて紐である。さらに、７は、その巾着部５によって開け閉めされるメインコンパートメントの収納部であって、７ａは、収納部７の上端部である。図に示すように、収納部７の上端部７ａは、表面部１ａより少し上に出ている。なお、表面部１ａには上記スナップボタンの他方部材４ｂが取り付けられている。
【００２５】
図３は、図２の状態のバッグから、表面部１ａを下方に開いた状態を示す斜視図である。ここに、７ｂは、表面部１ａによって隠れていた収納部７の表側の下方部である。上記上端部７ａとこの下方部７ｂは一体で連続している。この表面部１ａと、収納部７の表側の下方部７ｂとは面ファスナー８ａ，８ｂで脱着自在となっている。
【００２６】
なお、表面部１ａの内側中央には、受止め部９が設けられている。その機能については後述する。
【００２７】
図４は、図３の収納部７の表側の下方部７ｂを上方に手で持ち上げた状態を示す。ここに、７ｃは収納部７の裏側の下方部である。ここで、７ｂ１は表側の下方部７ｂの下端縁であり、７ｃ１は収納部７の裏側の下方部７ｃの下端縁であり、両者の下端縁７ｂ１，７ｃ１は繋がっておらず、開放されている。すなわち、収納部７の底ｗ１は開放状態にある。ここに、９は上記した受止め部であって、表面部１ａを下方に開いた状態（図３、図４）においては、弾力性のあるワイヤーなどによってその上端９ａが自然に持ち上がって開くようになっている。さらに、前記受止め部９の上端９ａと、前記収納部７の表側の下方部７ｂの下端縁７ｂ１とは、紐１０、１０で連結されている。この紐１０、１０の存在によって、後述するようにビニール袋１１が確実に受止め部９で受止められるようになる。もちろん、手でビニール袋１１を取り出す際に、邪魔にならない程度に緩く紐１０，１０は取り付けられている。
【００２８】
図５は、上記図４における状態を、上方側から逆に見た状態を示す斜視図である。巾着部５を手で開いた状態であって、収納部７の裏側の上端部７ｄが見えている。この巾着部５の口ｗ２は開閉可能である。なお、その裏側の上端部７ｄと、かぶせ部３との間には隙間Ｓが形成されて、図６に示すように、ビニール袋１１の上側縁１１ａをかぶせて挟み込めるようにしている。
【００２９】
図７は図５の巾着部５をひき紐６を引き締めた状態を示す斜視図である。後述するように、他の手段で開閉することも可能であるが、例えばジッパーなどで開閉することが可能であるが、その際完全に封鎖しないことが望ましい。その理由は後述する。
【００３０】
図８はバッグ本体１を裏側からみた斜視図である。１２は裏側に設けられた裏側ポケットである。
【００３１】
次に、本実施の形態にかかるバッグの使用方法を説明する。
【００３２】
図１に示すように、表面部１ａが面ファスナー８ａ，８ｂでしっかり閉じられ、かぶせ部３がかぶせられている状態のバッグを、出かける前に、かぶせ部３を開き、巾着部５の口を大きく開き、収納部７の中に、ビニール袋１１を装着する。その際、図６に示すように、巾着部５の口ｗ２に、ビニール袋１１の口を覆いかぶせておく。巾着部５の口ｗ２は特に閉めない。その際、裏側の上端部７ｄと、かぶせ部３との間には上述のように隙間Ｓが形成されているので、ビニール袋１１の口を覆いながらかぶせやすい。
【００３３】
その後、外出先で、吐き気をもようした場合は、かぶせ部３を開き、巾着部５を大きく開いて、収納部７の中に装着されているビニール袋１１の中に吐く。
【００３４】
それをそのまま家に持ち帰り、先ず、ショルダーストラップ２を適宜フックに引っ掛け吊るす。それから表面部１ａを面ファスナー８ａ，８ｂを外して下方に開く（図４参照）。それによって吐瀉物の入ったビニール袋１１はずり出てくる。そして、収納部７の中のビニール袋１１の底又は中間部を指でつかみ、下へ引きずりだす。その際、ビニール袋１１の口の方は触らないので手が吐瀉物で汚れる心配はない。その後、その吐瀉物の入ったビニール袋１１を処理する。
【００３５】
なお、そのようにして表面部１ａを下方に開いたとき、受止め部９が、ビニール袋１１がいきなり落下するようなことが無いように受け止めるので、安心である。さらに、前記ポケット９の表側９ａと、前記収納部７の表側の下方部７ｂの下端縁７ｂ１とは、紐１０、１０で連結されているので、この紐１０、１０の存在によってビニール袋１１が確実に受止め部９に受止められるようになる。もちろん、手でビニール袋１１を取り出す際に、邪魔にならない程度に緩く紐１０，１０は取り付けられている。
【００３６】
なお、本発明のバッグの応用例として、薬剤液の点滴袋を収納部７に収納して持ち歩く場合がある。このような場合、点滴袋の液滴下用チューブ（図示省略）は体の一部に連結されているため、その点滴が円滑に行われる必要がある。このチューブは収納部７の中の点滴袋と、人の体の一部を連結しているので、上記閉鎖具５の閉鎖状態はきつく閉鎖してはならない。チューブの円滑な点滴状態を邪魔するからである。なお、上側蓋部３は単に覆うだけなので、たとえば横の隙間が空いているのでチューブを通すには問題はない。
【００３７】
なお、図８は本発明のバッグの裏側を示すが、そこには、予備のビニール袋１１を入れておくポケットが設けられている。
【００３８】
更にバックの裏側と収納部の間にポケット（図示省略）を設けてもよい。
【００３９】
また、バッグの素材については、水洗い出来、あるいはアルコール綿で消毒出来る素材が望ましい。    
【産業上の利用可能性】
【００４０】
本発明におけるバッグは、嘔吐したような場合、その吐瀉物を保存したビニール袋で手指を汚すことなく処理することができ、多目的バッグに有用である。
【符号の説明】
【００４１】
１    バッグの本体
１ａ  下側蓋部
２    ショルダーストラップ
３    上側蓋部（かぶせ部）
４    ボタン
５    巾着部
６    ひきて紐
７    収納部
８    面ファスナ
９    受止め部
１０  紐
１１  ビニール袋
【要約】
【課題】  外出先で嘔吐した場合、その吐瀉物を入れることが出来るバッグであっても、その吐瀉物を保存したビニール袋の後始末で手指が汚れる課題がある。
【解決手段】  無底の筒状の収納部７と、前記収納部７の下側口ｗ１を覆う下側蓋部１ａと、前記収納部７の上側口ｗ２を覆う上側蓋部３とを備え、前記上側蓋部３は前記収納部７の上側口ｗ２に対して開閉自在であり、前記下側蓋部１ａは前記収納部７の下側口ｗ１に対して開閉自在であり、前記上側蓋部３は前記収納部７又は前記下側蓋部１ａに対して係止可能であり、前記下側蓋部１ａは前記収納部７又は前記上側蓋部３に対して係止可能であることを特徴とするバッグ。    
【選択図】  図４【図１】
0006793277.tif 000002
【図２】
0006793277.tif 000003
【図３】
0006793277.tif 000004
【図４】
0006793277.tif 000005
【図５】
0006793277.tif 000006
【図６】
0006793277.tif 000007
【図７】
0006793277.tif 000008
【図８】
0006793277.tif 000009